(57)【特許請求の範囲】
【請求項１】
無線通信システムの移動局（ＭＳ）においてＨＡＲＱ（Ｈｙｂｒｉｄ  Ａｕｔｏｍａｔｉｃ  Ｒｅｐｅａｔ  ｒｅＱｕｅｓｔ）手順を行うための方法であって、前記方法は、
基地局（ＢＳ）から第１の制御情報を受信することであって、前記第１の制御情報は、前記ＭＳのための信号の伝送のために割り当てられた第１のリソース領域に関する情報を含む、ことと、
前記信号が、前記第１のリソース領域を通じて、前記ＢＳによって受信されなかった場合に、前記ＢＳから第２の制御情報を受信することであって、前記第２の制御情報は、前記ＭＳのための前記信号の第１の再伝送のために割り当てられた第２のリソース領域に関する情報を含む、ことと、
前記信号が、前記第２のリソース領域を通じて、前記ＢＳによって受信されなかった場合に、前記ＢＳから第３の制御情報を受信することであって、前記第３の制御情報は、前記ＭＳのための前記信号の第２の再伝送のために割り当てられたリソース領域に関する情報を含む、ことと
を含み、
前記信号の前記第２の再伝送のために割り当てられたリソース領域は、前記信号の前記第１の再伝送のために割り当てられた第２のリソース領域と同一である、方法。
【請求項２】
前記第１のリソース領域の大きさまたは割り当て位置は、前記第２のリソース領域の大きさまたは割り当て位置と異なる、請求項１に記載の方法。
【請求項３】
前記信号が、前記第１のリソース領域を通じて、前記ＢＳにおいて受信されなかった場合に、前記ＢＳから否定確認（ＮＡＣＫ）信号を受信することをさらに含む、請求項１に記載の方法。
【請求項４】
前記第１の制御情報、前記第２の制御情報および前記第３の制御情報の各々は、アップリンク基本割当Ａ−ＭＡＰ  ＩＥ（Ｉｎｆｏｒｍａｔｉｏｎ  Ｅｌｅｍｅｎｔ）である、請求項１に記載の方法。
【請求項５】
第１に、前記ＭＳが前記第２の制御情報を受信した場合に、前記ＭＳのための前記信号の前記第１の再伝送のために割り当てられた第２のリソース領域を通じて、前記信号を再伝送することと、
第２に、前記ＭＳが前記第３の制御情報を受信した場合に、前記ＭＳのための前記信号の前記第２の再伝送のために割り当てられた第２のリソース領域を通じて、前記信号を再伝送することと
をさらに含む、請求項１に記載の方法。
【請求項６】
無線通信システムの基地局（ＢＳ）においてＨＡＲＱ（Ｈｙｂｒｉｄ  Ａｕｔｏｍａｔｉｃ  Ｒｅｐｅａｔ  ｒｅＱｕｅｓｔ）手順を行うための方法であって、前記方法は、
第１の制御情報を移動局（ＭＳ）に伝送することであって、前記第１の制御情報は、前記ＭＳのための信号の伝送のために割り当てられた第１のリソース領域に関する情報を含む、ことと、
前記ＢＳが、前記第１のリソース領域を通じて、前記ＭＳから前記信号を受信しなかった場合に、第２の制御情報を前記ＭＳに伝送することであって、前記第２の制御情報は、前記ＭＳのための前記信号の第１の再伝送のために割り当てられた第２のリソース領域に関する情報を含む、ことと、
前記ＢＳが、前記第２のリソース領域を通じて、前記信号を受信しなかった場合に、第３の制御情報を前記ＭＳに伝送することであって、前記第３の制御情報は、前記ＭＳのための前記信号の第２の再伝送のために割り当てられたリソース領域に関する情報を含む、ことと
を含み、
前記信号の前記第２の再伝送のために割り当てられたリソース領域は、前記信号の前記第１の再伝送のために割り当てられた第２のリソース領域と同一である、方法。
【請求項７】
前記第１のリソース領域の大きさまたは割り当て位置は、前記第２のリソース領域の大きさまたは割り当て位置と異なる、請求項６に記載の方法。
【請求項８】
無線通信システムにおいてＨＡＲＱ（Ｈｙｂｒｉｄ  Ａｕｔｏｍａｔｉｃ  Ｒｅｐｅａｔ  ｒｅＱｕｅｓｔ）手順を行うための移動局（ＭＳ）装置であって、前記ＭＳ装置は、
無線周波数（ＲＦ）ユニットを含み、前記無線周波数（ＲＦ）ユニットは、
基地局（ＢＳ）から第１の制御情報を受信することであって、前記第１の制御情報は、前記ＭＳのための信号の伝送のために割り当てられた第１のリソース領域に関する情報を含む、ことと、
前記信号が、前記第１のリソース領域を通じて、前記ＢＳにおいて受信されなかった場合に、前記ＢＳから第２の制御情報を受信することであって、前記第２の制御情報は、前記ＭＳのための前記信号の第１の再伝送のために割り当てられた第２のリソース領域に関する情報を含む、ことと、
前記信号が、前記第２のリソース領域を通じて、前記ＢＳによって受信されなかった場合に、前記ＢＳから第３の制御情報を受信することであって、前記第３の制御情報は、前記ＭＳのための前記信号の第２の再伝送のために割り当てられたリソース領域に関する情報を含む、ことと
を行うように構成され、
前記信号の前記第２の再伝送のために割り当てられたリソース領域は、前記信号の前記第１の再伝送のために割り当てられた第２のリソース領域と同一である、ＭＳ装置。
【請求項９】
前記第１のリソース領域の大きさまたは割り当て位置は、前記第２のリソース領域の大きさまたは割り当て位置と異なる、請求項８に記載のＭＳ装置。
【請求項１０】
無線通信システムにおいてＨＡＲＱ（Ｈｙｂｒｉｄ  Ａｕｔｏｍａｔｉｃ  Ｒｅｐｅａｔ  ｒｅＱｕｅｓｔ）手順を行うための基地局（ＢＳ）装置であって、前記ＢＳ装置は、
無線周波数（ＲＦ）ユニットを含み、前記無線周波数（ＲＦ）ユニットは、
第１の制御情報を移動局（ＭＳ）に伝送することであって、前記第１の制御情報は、前記ＭＳのための信号の伝送のために割り当てられた第１のリソース領域に関する情報を含む、ことと、
前記ＢＳが、前記第１のリソース領域を通じて、前記ＭＳから前記信号を受信しなかった場合に、第２の制御情報を前記ＭＳに伝送することであって、前記第２の制御情報は、前記ＭＳのための前記信号の第１の再伝送のために割り当てられた第２のリソース領域に関する情報を含む、ことと、
前記ＢＳが、前記第２のリソース領域を通じて、前記信号を受信しなかった場合に、第３の制御情報を前記ＭＳに伝送することであって、前記第３の制御情報は、前記ＭＳのための前記信号の第２の再伝送のために割り当てられたリソース領域に関する情報を含む、ことと
を行うように構成され、
前記信号の前記第２の再伝送のために割り当てられたリソース領域は、前記信号の前記第１の再伝送のために割り当てられた第２のリソース領域と同一である、ＢＳ装置。
【発明の詳細な説明】
【技術分野】
【０００１】
本発明は、無線通信システムに係り、より詳細には、ＨＡＲＱ手順を行う方法及び装置に関するものである。
【背景技術】
【０００２】
ハイブリッド自動再送要求（ＨＡＲＱ：Ｈｙｂｒｉｄ  Ａｕｔｏｍａｔｉｃ  Ｒｅｔｒａｎｓｍｉｓｓｉｏｎ  Ｒｅｑｕｅｓｔ）とは、初期データ伝送における誤り発生による再伝送の回数を減らすために、最初に伝送された情報と再伝送された情報とを結合してデコーディングする、改善された自動再送要求方式のことをいう。このようなＨＡＲＱ方式は、ＩＥＥＥ  ８０２．１６ｍシステムだけでなく、他の移動通信システムでも用いられる技術に該当する。以下では、従来のＩＥＥＥ  ８０２．１６システムおけるアップリンクＨＡＲＱのためのリソース割当方法について簡略に説明する。
【０００３】
基地局からアップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）を受信した端末は、アップリンク基本割当Ａ−ＭＡＰ  ＩＥにより割り当てられたリソースを通じて、ＨＡＲＱデータのサブパケットを伝送する。基地局は、データバースト（ｄａｔａ  ｂｕｒｓｔ）のデコーディングを試み、もしデコーディングに成功すると、端末に肯定受信確認信号（ＡＣＫ：ａｃｋｎｏｗｌｄｅｇｅｍｅｎｔ）を送信する。しかし、これと違い、基地局がデコーディングに失敗すると、基地局は端末に否定受信確認信号（ＮＡＣＫ：Ｎｅｇａｔｉｖｅ  Ａｃｋｎｏｗｌｅｄｇｅｍｅｎｔ）を伝送する。基地局が再伝送のために端末にリソースを割り当てる時に、基地局はアップリンク基本割当Ａ−ＭＡＰを伝送しなくてもよい。こうする場合には、基地局は再伝送のためのサブフレームで、以前サブパケットのために割り当てられた領域と同じ位置及び大きさで端末にリソースを割り当てる。もし、基地局が再伝送のためのリソースを割り当てるためにアップリンク基本割当Ａ−ＭＡＰを伝送する場合に、基地局は、当該Ａ−ＭＡＰで示す領域にリソースを割り当てる。
【０００４】
基地局からＮＡＣＫ信号を受信した端末は、再伝送手順を行う。再伝送手順において、端末がＨＡＲＱデータバースト伝送のためのアップリンク基本割当Ａ−ＭＡＰ  ＩＥを受信できないと、端末は、同一のＡＣＩＤを持つ最後のサブパケット伝送で割り当てられたリソースを通じて次のサブパケットを伝送する。基地局は、再伝送のための制御情報を伝達する目的で端末にアップリンク基本割当Ａ−ＭＡＰ  ＩＥを伝送することができ、端末が再伝送のためのアップリンク基本割当Ａ−ＭＡＰ  ＩＥを受信すると、端末はアップリンク基本割当Ａ−ＭＡＰ  ＩＥで指示するリソースを通じてＨＡＲＱ再伝送を行うことができる。
【０００５】
図１は、従来のアップリンクＨＡＲＱ手順の一例を示す図である。
【０００６】
図１を参照すると、基地局は、端末のデータ伝送のためのアップリンクリソースをＡ領域に割り当てたことを示すアップリンク基本割当Ａ−ＭＡＰ  ＩＥを、端末に伝送する（Ｓ１１０）。基地局からアップリンク基本割当Ａ−ＭＡＰ  ＩＥを受信した端末は、該ＩＥが示すリソース領域（Ａ領域）を通じて、ＨＡＲＱバーストのサブパケットを伝送することができる（Ｓ１２０）。もし、端末の伝送したパケットに誤りが発生してこれを基地局がデコーディングできないと、基地局は、伝送されたパケットに誤りが生じた事実を端末に知らせるために、端末にＮＡＣＫ信号を伝送する（Ｓ１３０）。その後、基地局は、指定された時点に、端末が誤りの生じたパケットを再伝送できるように、アップリンク基本割当Ａ−ＭＡＰ無しで、最後に誤りの生じたパケット伝送のためのリソースと同じ位置及び大きさのリソースを端末に割り当てる（Ｓ１４０）。
【０００７】
端末が基地局からＮＡＣＫ信号は受信したが、再伝送のためのアップリンク基本割当Ａ−ＭＡＰ  ＩＥを受信しなかった場合に、端末は、最後に伝送したリソース領域と同じ位置及び大きさの領域（Ａ領域）を用いて再伝送パケットを伝送する（Ｓ１５０）。基地局は、割り当てられたＡ領域を通じて端末から再伝送されたパケットを正しく受信すると、それに対する応答として端末にＡＣＫ信号を伝送する（Ｓ１６０）。このように、基地局は、端末が誤りの生じたパケットを再伝送できるように、端末が最後に伝送したリソース領域と同じ位置及び大きさの領域を割り当てて知らせる。
【０００８】
図２は、アップリンクＨＡＲＱ手順の他の例を示す図である。
【０００９】
図２を参照すると、図１におけると同様に、基地局は、端末のデータ伝送のためのアップリンクリソースをＡ領域に割り当てたことを示すアップリンク基本割当Ａ−ＭＡＰ  ＩＥを伝送する（Ｓ２１０）。基地局からアップリンク基本割当Ａ−ＭＡＰ  ＩＥを受信した端末は、該ＩＥが示すリソース領域（Ａ領域）を通じて、ＨＡＲＱバーストのサブパケットを伝送する（Ｓ２２０）。もし、端末の伝送したパケットに誤りが発生して基地局がそのデコーディングに失敗すると、基地局は、伝送されたパケットに誤りの生じた事実を端末に知らせるために、端末にＮＡＣＫ信号を伝送する（Ｓ２３０）。
【００１０】
その後、基地局は、指定された時点に、端末が誤りの生じたパケットを再伝送できるようにリソースを割り当てる時に、該当のＡＣＩＤに対して最も最近に割り当てたリソースと異なる情報（例えば、異なる位置または異なる大きさ）を持つリソースを割り当てるために、アップリンク基本割当Ａ−ＭＡＰ  ＩＥを端末に伝送する（Ｓ２４０）。端末がＮＡＣＫ信号を受信すると共に、再伝送のためのアップリンク基本割当Ａ−ＭＡＰ  ＩＥを受信すると、端末は、当該Ａ−ＭＡＰ  ＩＥが示すリソース領域（Ｂ領域）に再伝送パケットを伝送する（Ｓ２５０）。
【００１１】
基地局は、割り当てられた領域（Ｂ領域）を通じて端末から再伝送されたパケットを正しく受信すると、それに対する応答として端末にＡＣＫ信号を伝送する（Ｓ２６０）。このように、基地局は、端末が誤りの生じたパケットを再伝送できるように、端末に新しいアップリンクリソース領域（Ｂ領域）を割り当てて知らせる。
【００１２】
端末が伝送したパケットにエラーが発生し、基地局が端末のパケット再伝送のためのリソースを割り当てるためにアップリンク基本割当（ＵＬ  Ｂａｓｉｃ  Ａｓｓｉｇｎｍｅｎｔ）Ａ−ＭＡＰ  ＩＥを端末に伝送することがある。この場合、端末が該アップリンク基本割当Ａ−ＭＡＰ  ＩＥをデコーディングできないと、端末は、同一のＡＣＩＤに対して最も最近に伝送されたサブパケットに割り当てられたリソースを通じて、再伝送サブパケットを伝送する。ここで、ＡＣＩＤとは、ＨＡＲＱチャネル識別子のことを指す。
【００１３】
端末によって伝送されたサブパケットは誤ったリソース領域に伝送されるため、他の端末が伝送したパケットと衝突する問題が起こり、基地局は、他の端末が伝送したパケットを受信できなくなる。また、基地局は、アップリンク基本割当Ａ−ＭＡＰ  ＩＥで示すリソース領域を通じて、該当の端末から再伝送パケットを受信できず、端末にＮＡＣＫを伝送するようになる。その後、基地局がアップリンク基本割当Ａ−ＭＡＰ  ＩＥを伝送することなく、再伝送のためのリソースを割り当てると、端末は、引き続き誤ったリソース領域を用いて再伝送パケットを伝送することになり、リソースの無駄使いにつながる。
【００１４】
図３は、ＩＥＥＥ  ８０２．１６システムにおいてＡ−ＭＡＰ誤りによるサブパケット識別子（ＳＰＩＤ：ＳｕｂＰａｃｋｅｔ  ＩＤｅｎｔｉｆｉｅｒ）の非同期化によってＨＡＲＱサブパケット伝送に誤りが生じる場合を説明するための図である。
【００１５】
図３を参照すると、端末は、新しいパケットを伝送するために、アップリンク基本割当Ａ−ＭＡＰ  ＩＥを基地局から受信することができる。しかし、端末が該Ａ−ＭＡＰ情報をデコーディングするのに失敗したり、Ａ−ＭＡＰ情報が損失されたりした場合（Ｓ３１０）に、端末は基地局にパケットを伝送できなくなる場合が生じる（Ｓ３２０）。Ｓ３１０段階で、基地局は、端末の新しいパケットに対してサブパケット識別子（ＳＰＩＤ）の値を「００」と知っている。しかし、端末は、Ａ−ＭＡＰ情報を損失したので、アップリンクにパケットを伝送できず、一定時点が経過した後に、基地局からＮＡＣＫ信号と再伝送のためのアップリンク基本割当Ａ−ＭＡＰ  ＩＥを受信することになる（Ｓ３３０）。そして、端末は、以前にＡ−ＭＡＰ情報を受信できなかったため、ＡＩ＿ＳＮ（ＨＡＲＱ識別子シーケンス番号）によって新しい伝送と認識し、ＳＰＩＤ「００」に該当するサブパケットを基地局に伝送する。しかし、基地局は、再伝送をしたため、端末がＳＰＩＤ「０１」を伝送したと見なした上にサブパケットのデコーディングを試みるが、誤ったＳＰＩＤでデコーディングを試みるため、基地局はバーストデコーディングに失敗する。こうなると、連続してパケットエラーが発生し、余分のアップリンクリソースの浪費につながる。
【発明の概要】
【発明が解決しようとする課題】
【００１６】
本発明が達成しようとする技術的課題は、ＨＡＲＱ手順を行う方法を提供することである。
【００１７】
本発明が達成しようとする他の技術的課題は、ＨＡＲＱ手順を行う装置を提供することである。
【００１８】
本発明が達成しようとする技術的課題は、上記の技術的課題に制限されず、言及していない他の技術的課題は、下の記載から、本発明の属する技術分野における通常の知識を有する者には明確に理解されるであろう。
【課題を解決するための手段】
【００１９】
上記の技術的課題を達成するための、本発明に係る基地局がＨＡＲＱ手順を行う方法は、端末のデータ再伝送のために割り当てられた第１リソース領域に関する情報を含む第１制御情報を前記端末に伝送し、前記端末から前記第１リソース領域を通じて信号を受信できないと、前記端末のデータ再伝送のために割り当てられた第２リソース領域に関する情報を含む第２制御情報を前記端末に伝送することを含むことができる。
【００２０】
ここで、前記端末から第１リソース領域を通じて信号を受信できないと、前記端末に受信否定確認信号（ＮＡＣＫ：Ｎｅｇａｔｉｖｅ  ＡＣＫｎｏｗｌｅｄｇｅｍｅｎｔ）を伝送することをさらに含むことができる。また、前記第１リソース領域と前記第２リソース領域とは、大きさが異なるか、または、割り当てられた位置が異なる。
【００２１】
上記の技術的課題を達成するための、本発明に係る基地局がＨＡＲＱ手順を行う方法は、端末の新しいパケット伝送のための第１ＨＡＲＱサブパケット識別子値を含む第１制御情報を前記端末に伝送し、前記端末から前記第１制御情報伝送に対するアップリンクパケットを検出し、前記アップリンクパケットが検出されないと、前記第１ＨＡＲＱサブパケット識別子値を含む第２制御情報を前記端末に伝送することを含むことができる。
【００２２】
ここで、前記第２制御情報に対するアップリンクパケットを受信する場合に、前記第２制御情報に対するアップリンクパケットを前記第１ＨＡＲＱサブパケット識別子値を用いてデコーディングすることをさらに含むことができる。
【００２３】
また、前記アップリンクパケットが検出されないと、前記端末に受信否定確認信号（ＮＡＣＫ：Ｎｅｇａｔｉｖｅ  ＡＣＫｎｏｗｌｅｄｇｅｍｅｎｔ）を伝送することをさらに含むことができる。
【００２４】
上記の他の技術的課題を達成するための、本発明に係るＨＡＲＱ手順を行う基地局装置は、端末のデータ再伝送のためのリソース領域を割り当てるプロセッサと、前記プロセッサが前記端末のデータ再伝送のために割り当てた第１リソース領域に関する情報を含む第１制御情報を伝送する第１伝送モジュールと、前記端末から前記第１リソース領域を通じて信号を受信できないと、前記プロセッサが前記端末のデータ再伝送のために割り当てた第２リソース領域に関する情報を含む第２制御情報を前記端末に伝送する第２伝送モジュールと、を含むことができる。
【００２５】
ここで、もし、前記端末から第１リソース領域を通じて信号を受信できないと、前記端末に受信否定確認信号（ＮＡＣＫ：Ｎｅｇａｔｉｖｅ  ＡＣＫｎｏｗｌｅｄｇｅｍｅｎｔ）を伝送する第３伝送モジュールをさらに含むことができる。
【００２６】
上記の他の技術的課題を達成するための、本発明に係るＨＡＲＱ手順を行う基地局装置は、端末の新しいパケット伝送のための第１ＨＡＲＱサブパケット識別子値を含む第１制御情報を前記端末に伝送する第１伝送モジュールと、前記端末から前記第１制御情報伝送に対するアップリンクパケットを検出するプロセッサと、前記アップリンクパケットが検出されないと、前記第１ＨＡＲＱサブパケット識別子値を含む第２制御情報を前記端末に伝送する第２伝送モジュールと、を含むことができる。
【００２７】
もし、前記第２制御情報に対するアップリンクパケットを受信する場合に、前記プロセッサは、前記第２制御情報に対するアップリンクパケットを前記第１ＨＡＲＱサブパケット識別子値を用いてデコーディングすることができる。
【００２８】
ここで、もし前記プロセッサが前記アップリンクパケットを検出できないと、前記端末に受信否定確認信号（ＮＡＣＫ：Ｎｅｇａｔｉｖｅ  ＡＣＫｎｏｗｌｅｄｇｅｍｅｎｔ）を伝送する第３伝送モジュールをさらに含むことができる。
【００２９】
上記の他の技術的課題を達成するための、本発明に係る端末がＨＡＲＱ手順を行う方法は、基地局から前記端末のアップリンク伝送のための制御情報を受信し、前記受信した制御情報が前記端末の初期伝送のためのものか、再伝送のためのものかにかかわらずに、前記端末はＨＡＲＱサブパケット識別子（ＳＰＩＤ）の値を「０ｂ００」値に設定して前記基地局に伝送することを含むことができる。
【００３０】
ここで、前記制御情報は、アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）でよい。
【００３１】
上記の他の技術的課題を達成するための、本発明に係るＨＡＲＱ手順を行う端末装置は、基地局から前記端末のアップリンク伝送のための制御情報を受信する受信モジュールと、前記受信した制御情報が前記端末の初期伝送のためのものか、再伝送のためのものかにかかわらず、前記端末はＨＡＲＱサブパケット識別子（ＳＰＩＤ）の値を「０ｂ００」値に設定するプロセッサと、前記「０ｂ００」値に設定されたＨＡＲＱサブパケットを前記基地局に伝送する伝送モジュールとを含むことができる。
【００３２】
ここで、前記制御情報は、アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）でよい。
本発明は、例えば以下の項目を提供する。
（項目１）
無線通信システムで基地局がＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う方法であって、
端末のデータ再伝送のために割り当てられた第１リソース領域に関する情報を含む第１制御情報を前記端末に伝送し、
前記端末から前記第１リソース領域を通じて信号を受信できないと、前記端末のデータ再伝送のために割り当てられた第２リソース領域に関する情報を含む第２制御情報を前記端末に伝送すること、
を含むことを特徴とするＨＡＲＱ手順実行方法。
（項目２）
前記端末から第１リソース領域を通じて信号を受信できないと、前記端末に受信否定確認信号（ＮＡＣＫ：Ｎｅｇａｔｉｖｅ  ＡＣＫｎｏｗｌｅｄｇｅｍｅｎｔ）を伝送することをさらに含むことを特徴とする、項目１に記載のＨＡＲＱ手順実行方法。
（項目３）
前記第１リソース領域と前記第２リソース領域とは、大きさが異なるか、または、割り当てられた位置が異なることを特徴とする、項目１に記載のＨＡＲＱ手順実行方法。
（項目４）
前記第１制御情報及び前記第２制御情報は、アップリンク基本割当Ａ−ＭＡＰ（Ｕｐｌｉｎｋ  Ｂａｓｉｃ  Ａｓｓｉｇｎｍｅｎｔ  Ａｄｖａｎｃｅｄ−ＭＡＰ）であることを特徴とする、項目１に記載のＨＡＲＱ手順実行方法。
（項目５）
無線通信システムにおいて基地局がＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う方法であって、
端末の新しいパケット伝送のための第１ＨＡＲＱサブパケット識別子値を含む第１制御情報を前記端末に伝送し、
前記端末から前記第１制御情報伝送に対するアップリンクパケットを検出し、
前記アップリンクパケットが検出されないと、前記第１ＨＡＲＱサブパケット識別子値を含む第２制御情報を前記端末に伝送すること、
を含むことを特徴とするＨＡＲＱ手順実行方法。
（項目６）
前記第２制御情報に対するアップリンクパケットを受信する場合に、前記第２制御情報に対するアップリンクパケットを前記第１ＨＡＲＱサブパケット識別子値を用いてデコーディングすることをさらに含むことを特徴とする、項目５に記載のＨＡＲＱ手順実行方法。
（項目７）
前記アップリンクパケットが検出されないと、前記端末に受信否定確認信号（ＮＡＣＫ：Ｎｅｇａｔｉｖｅ  ＡＣＫｎｏｗｌｅｄｇｅｍｅｎｔ）を伝送することをさらに含むことを特徴とする、項目５に記載のＨＡＲＱ手順実行方法。
（項目８）
前記第１制御情報及び前記第２制御情報は、アップリンク基本割当Ａ−ＭＡＰ（Ｕｐｌｉｎｋ  Ｂａｓｉｃ  Ａｓｓｉｇｎｍｅｎｔ  Ａｄｖａｎｃｅｄ−ＭＡＰ）であることを特徴とする、項目５に記載のＨＡＲＱ手順実行方法。
（項目９）
無線通信システムにおいてＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う基地局装置であって、
端末のデータ再伝送のためのリソース領域を割り当てるプロセッサと、
前記プロセッサが前記端末のデータ再伝送のために割り当てた第１リソース領域に関する情報を含む第１制御情報を伝送し、前記端末から前記第１リソース領域を通じて信号を受信できないと、前記プロセッサが前記端末のデータ再伝送のために割り当てた第２リソース領域に関する情報を含む第２制御情報を前記端末に伝送するＲＦ（Ｒａｄｉｏ  Ｆｒｅｑｕｅｎｃｙ）ユニットと、
を含むことを特徴とする基地局装置。
（項目１０）
前記端末から第１リソース領域を通じて信号を受信できないと、前記ＲＦユニットは、前記端末に受信否定確認信号（ＮＡＣＫ：Ｎｅｇａｔｉｖｅ  ＡＣＫｎｏｗｌｅｄｇｅｍｅｎｔ）をさらに伝送することを特徴とする、項目９に記載の基地局装置。
（項目１１）
前記第１制御情報及び前記第２制御情報は、アップリンク基本割当Ａ−ＭＡＰ（Ｕｐｌｉｎｋ  Ｂａｓｉｃ  Ａｓｓｉｇｎｍｅｎｔ  Ａｄｖａｎｃｅｄ−ＭＡＰ）であることを特徴とする、項目９に記載の基地局装置。
（項目１２）
無線通信システムにおいてＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う基地局装置であって、
端末の新しいパケット伝送のための第１ＨＡＲＱサブパケット識別子値を含む第１制御情報を前記端末に伝送する第１ＲＦユニットと、
前記端末から前記第１制御情報伝送に対するアップリンクパケットを検出するプロセッサと、
前記アップリンクパケットが検出されないと、前記第１ＨＡＲＱサブパケット識別子値を含む第２制御情報を前記端末に伝送する第２ＲＦユニットと、
を含むことを特徴とする基地局装置。
（項目１３）
前記第２制御情報に対するアップリンクパケットを受信する場合に、前記プロセッサは、前記第２制御情報に対するアップリンクパケットを前記第１ＨＡＲＱサブパケット識別子値を用いてデコーディングすることを特徴とする、項目１２に記載の基地局装置。
（項目１４）
前記プロセッサが前記アップリンクパケットを検出できないと、前記端末に受信否定確認信号（ＮＡＣＫ：Ｎｅｇａｔｉｖｅ  ＡＣＫｎｏｗｌｅｄｇｅｍｅｎｔ）を伝送する第３ＲＦユニットをさらに含むことを特徴とする、項目１２に記載の基地局装置。
（項目１５）
前記第１制御情報及び前記第２制御情報は、アップリンク基本割当Ａ−ＭＡＰ（Ｕｐｌｉｎｋ  Ｂａｓｉｃ  Ａｓｓｉｇｎｍｅｎｔ  Ａｄｖａｎｃｅｄ−ＭＡＰ）であることを特徴とする、項目１２に記載の基地局装置。
（項目１６）
無線通信システムにおいて端末がＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う方法であって、
基地局から前記端末のアップリンク伝送のための制御情報を受信し、
前記受信した制御情報が前記端末の初期伝送のためのものか、再伝送のためのものかにかかわらずに、前記端末はＨＡＲＱサブパケット識別子（ＳＰＩＤ）の値を「０ｂ００」値に設定して前記基地局に伝送すること、
を含むことを特徴とする端末のＨＡＲＱ手順実行方法。
（項目１７）
前記制御情報は、アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）であることを特徴とする、項目１５に記載の端末のＨＡＲＱ手順実行方法。
（項目１８）
無線通信システムにおいてＨＡＲＱ（Ｈｙｂｒｉｄ  Ａｕｔｏｍａｔｉｃ  Ｒｅｔｒａｎｓｍｉｓｓｉｏｎ  ｒｅＱｕｅｓｔ）手順を行う端末装置であって、
基地局から前記端末のアップリンク伝送のための制御情報を受信する受信モジュールと、
前記受信した制御情報が前記端末の初期伝送のためのものか、再伝送のためのものかにかかわらず、前記端末はＨＡＲＱサブパケット識別子（ＳＰＩＤ）の値を「０ｂ００」値に設定するプロセッサと、
前記「０ｂ００」値に設定されたＨＡＲＱサブパケットを前記基地局に伝送する伝送モジュールと、
を含むことを特徴とする端末装置。
（項目１９）
前記制御情報は、アップリンク基本割当Ａ−ＭＡＰ  ＩＥ（Ｕｐｌｉｎｋ  Ｂａｓｉｃ  Ａｓｓｉｇｎｍｅｎｔ  Ａ−ＭＡＰ  Ｉｎｆｏｒｍａｔｉｏｎ  Ｅｌｅｍｅｎｔ）であることを特徴とする、項目１８に記載の端末装置。
【発明の効果】
【００３３】
本発明によれば、効率的にＨＡＲＱ手順を行うことができる。
【００３４】
本発明に係るＨＡＲＱ手順実行方法によれば、再伝送のためのアップリンク基本割当Ａ−ＭＡＰ  ＩＥの誤りに起因する連続したパケット伝送失敗によるリソース浪費を防ぐことができる。
【００３５】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００３６】
本発明に関する理解を助けるために詳細な説明の一部として含まれる添付の図面は、本発明の実施例を提供し、詳細な説明と共に本発明の技術的思想を説明する。
【図１】アップリンクＨＡＲＱ手順の一例を示す図である。
【図２】アップリンクＨＡＲＱ手順の他の例を示す図である。
【図３】ＨＡＲＱ再伝送手順において端末がアップリンク基本割当Ａ−ＭＡＰ  ＩＥを受信できない場合の一例を示す図である。
【図４】ＨＡＲＱ再伝送手順において端末がアップリンク基本割当Ａ−ＭＡＰ  ＩＥを受信できない時に、基地局がＡ−ＭＡＰ誤りを復旧する方法の一例を説明するための図である。
【図５】ＨＡＲＱ再伝送手順において端末がアップリンク基本割当Ａ−ＭＡＰ  ＩＥを受信できない時に、基地局がＡ−ＭＡＰ誤りを復旧する方法の他の例を説明するための図である。
【図６】ＩＥＥＥ  ８０２．１６システムにおいて、Ａ−ＭＡＰ誤りによるサブパケット識別子（ＳＰＩＤ：ＳｕｂＰａｃｋｅｔ  ＩＤｅｎｔｉｆｉｅｒ）の非同期化によってＨＡＲＱサブパケット伝送に誤りが生じる場合を説明するための図である。
【図７】ＩＥＥＥ  ８０２．１６システムにおいてＡ−ＭＡＰ誤りによるサブパケット識別子（ＳＰＩＤ）の非同期化問題を解決するための方法の一例を示す図である。
【図８】装置５０の構成要素を示すダイヤグラムである。
【発明を実施するための形態】
【００３７】
以下、本発明の好適な実施の形態を、添付の図面を参照して詳細に説明する。添付の図面と共に以下に開示される詳細な説明は、本発明の例示的な実施の形態を説明するためのもので、本発明が実施できる唯一の実施の形態を表すためのものではない。以下の詳細な説明は、本発明の完全な理解を提供するために具体的な細部事項を含む。しかし、当業者にはそれら具体的な細部事項なしにも本発明を実施できることが理解できる。例えば、以下の詳細な説明は、移動通信システムがＩＥＥＥ  ８０２．１６ｍシステムである例にして具体的に説明するが、ＩＥＥＥ  ８０２．１６ｍシステムの特有な事項を除けば、他の任意の移動通信システムにも適用可能である。
【００３８】
場合によって、本発明の概念が曖昧になることを避けるために、公知の構造及び装置を省略したり、各構造及び装置の核心機能を中心にしたブロック図の形式で示すことができる。また、本明細書全体において同一の構成要素には同一の図面符号を付して説明する。
【００３９】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）等のような移動または固定型のユーザー端の機器を総称するとする。また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）等のような端末と通信するネットワーク端の任意のノードを総称するとする。
【００４０】
移動通信システムにおいて、端末（Ｍｏｂｉｌｅ  Ｓｔａｔｉｏｎ）は、基地局からダウンリンク（Ｄｏｗｎｌｉｎｋ）を通じて情報を受信し、また、アップリンク（Ｕｐｌｉｎｋ）を通じて情報を伝送することができる。端末が伝送または受信する情報にはデータ及び種々の制御情報があり、端末が伝送または受信する情報の種類用途によって種々の物理チャネルが存在する。
【００４１】
本発明で用いられるＡＡＩサブフレームは、ＡＡＩ（Ａｄｖａｎｃｅｄ  Ａｉｒ  Ｉｎｔｅｒｆａｃｅ）により用いられるあらかじめ定義された持続期間（ｄｕｒａｔｉｏｎ）の構造化されたデータシーケンスのことを指し、通常、サブフレームと呼ぶこともできる。また、本発明で用いられるＡ−ＭＡＰ（Ａｄｖａｎｃｅｄ  ＭＡＰ）にはユニキャストサービス制御情報を含めて端末に伝送することができる。ユニキャストサービス制御情報は、ユーザー特定（ｕｓｅｒ  ｓｐｅｃｉｆｉｃ）制御情報及び非−ユーザー特定（ｎｏｎ−ｕｓｅｒ  ｓｐｅｃｉｆｉｃ）制御情報とに大別することができる。そして、ユーザー−特定制御情報は、割当情報（ａｓｓｉｇｎｍｅｎｔ  ｉｎｆｏｒｍａｔｉｏｎ）、ＨＡＲＱフィードバック情報、及び電力制御情報などにさらに細分化される。
【００４２】
図３は、ＨＡＲＱ再伝送手順において端末がアップリンク基本割当Ａ−ＭＡＰ  ＩＥを受信できない場合の一例を示す図である。
【００４３】
図３を参照すると、基地局は端末１にアップリンクリソースを割り当てるために、リソース領域（領域Ａ）を示すアップリンク基本割当Ａ−ＭＡＰ  ＩＥを伝送する（Ｓ３０５）。アップリンク基本割当Ａ−ＭＡＰ  ＩＥを受信した端末１は、当該ＩＥ（Ｉｎｆｏｒａｍｔｉｏｎ  Ｅｌｅｍｅｎｔ）が示すリソース領域（すなわち、領域Ａ）を通じて、ＨＡＲＱバーストのサブパケットを伝送する（Ｓ３１０）。端末１によって伝送されたパケットにエラーが発生して基地局がそれをデコーディングできないと、基地局は、パケットエラーを端末１に知らせるために、端末１にＮＡＣＫ信号を伝送する（Ｓ３１５）。基地局は、指定された時点に端末がエラーの生じたパケットを再伝送できるようにリソースを割り当てる時に、該当のＡＣＩＤに対して最も最近に割り当てたリソースと異なる情報（例えば、異なる位置または異なる大きさ）を持つリソースを割り当てるために、アップリンク基本割当Ａ−ＭＡＰ  ＩＥを端末に伝送する（Ｓ３２０）。基地局は、同じ時点に、端末２のパケット伝送のために、端末２にリソース領域（領域Ａ）を割り当てることができ（Ｓ３２５）、端末２は、割り当てられたリソース領域（領域Ａ）でパケットを伝送する（Ｓ３３０）。
【００４４】
端末１が基地局からＮＡＣＫ信号を受信し（Ｓ３１５）、Ａ−ＭＡＰエラーにより、基地局が伝送した再伝送のためのリソース領域を領域Ｂとするアップリンク基本割当Ａ−ＭＡＰ  ＩＥを受信できないと、端末１は、最も最近に伝送したリソース領域と同じ位置及び大きさを持つリソース領域（領域Ａ）を通じて、再伝送パケットを伝送する（Ｓ３３５）。しかし、端末１及び端末２が同一の領域（領域Ａ）を用いて同時にパケットを伝送するから、基地局は、領域Ａを通じて端末２のパケットを受信できない他、領域Ｂを通じて端末１からパケットを受信することもできない。
【００４５】
そのため、基地局は、端末１に領域Ｂに対してＮＡＣＫ信号を伝送し（Ｓ３４０）、端末２には領域Ａに対してＮＡＣＫ信号を伝送する（Ｓ３４５）。そして、基地局は、端末の再伝送のために、アップリンク基本割当Ａ−ＭＡＰ  ＩＥ無しで端末１に特定リソース領域（領域Ｂ）を割り当てることができる（Ｓ３５０）。端末は領域Ａで再伝送パケットを伝送するため（Ｓ３５５）、基地局は端末のパケットに誤りが生じたと判断し、継続してＮＡＣＫ信号を伝送する（Ｓ３６０）。
【００４６】
そのため、基地局は端末に再伝送のためのリソース領域を割り当て、端末はＮＡＣＫ信号を受信し、引き続き、誤った領域でパケットを伝送するはずである。すなわち、ＨＡＲＱ最大再伝送回数を超えたり、アップリンク基本割当Ａ−ＭＡＰ  ＩＥを伝送するまで、Ｓ３５０乃至Ｓ３６０の過程が基地局と端末１との間に反復されるという問題が生じる。
【００４７】
図３で説明した通り、端末が再伝送のためのアップリンク基本割当Ａ−ＭＡＰ  ＩＥを読めないことから生じる連続したパケット誤りを解決するために、基地局は、アップリンク基本割当Ａ−ＭＡＰ  ＩＥを用いて端末のパケット再伝送のためのアップリンクリソースを割り当てた後、割り当てられたリソース領域から端末のパケットを正しく受信できなかった場合に、次の再伝送のためのリソースを割当するためにアップリンク基本割当Ａ−ＭＡＰ  ＩＥを端末に伝送する。この時、リソース割当領域が以前の割当位置及び大きさを有しても、基地局はアップリンク基本割当Ａ−ＭＡＰ  ＩＥを伝送して端末に再伝送のためのリソースを割り当てることができる。
【００４８】
図４は、ＨＡＲＱ再伝送手順で端末がアップリンク基本割当Ａ−ＭＡＰ  ＩＥを受信できなかった時に、基地局がＡ−ＭＡＰ誤りを復旧する方法の一例を説明するための図である。
【００４９】
図４を参照すると、基地局は端末にアップリンクリソースを割り当てるためにリソース領域（領域Ａ）を示すアップリンク基本割当Ａ−ＭＡＰ  ＩＥを伝送する（Ｓ４１０）。アップリンク基本割当Ａ−ＭＡＰ  ＩＥを受信した端末は、当該ＩＥが示すリソース領域（領域Ａ）を通じてＨＡＲＱバーストのサブパケットを伝送する（Ｓ４２０）。端末によって伝送されたパケットに誤りが発生して基地局がそれをデコーディングできないと、基地局はパケット誤りを端末に知らせるために、端末にＮＡＣＫ信号を伝送する（Ｓ４３０）。基地局は、指定された時点に、誤りの生じたパケットを再伝送できるように端末にリソースを割り当てることができる。この時、該当のＡＣＩＤに対して最も最近に割り当てたリソースと異なる情報（例えば、異なる位置または異なる大きさ）を持つリソースを割り当てるために、アップリンク基本割当Ａ−ＭＡＰ  ＩＥを端末に伝送する（Ｓ４４０）。サブフレーム単位でスケジューリングされるため、Ｓ４３０におけるＮＡＣＫ信号とＳ４４０におけるアップリンク基本割当Ａ−ＭＡＰ  ＩＥを端末に同時に伝送することができる。
【００５０】
端末が基地局からＮＡＣＫ信号を受信し（Ｓ４３０）、その後、端末がＡ−ＭＡＰ誤りなどによって基地局が伝送した再伝送のためのリソース領域として領域Ｂを示すアップリンク基本割当Ａ−ＭＡＰ  ＩＥを受信できないと（Ｓ４４０）、端末は最も最近に伝送したリソース領域と同じ位置及び大きさに該当するリソース領域Ａを通じて、再伝送パケットを伝送できる（Ｓ４５０）。すなわち、端末は、基地局がアップリンク基本割当Ａ−ＭＡＰ  ＩＥによって割り当てたリソース領域である領域Ｂを通じてパケットを伝送できず（Ｓ４５０）、その結果、基地局は領域Ｂを通じて端末からパケットを受信できなかったため（アップリンクバーストデコーディング誤り）、パケット誤りと判断し、端末にＮＡＣＫ信号を伝送する（Ｓ４６０）。アップリンク基本割当Ａ−ＭＡＰによって割り当てられた再伝送リソース領域でパケット誤りが生じたため（Ｓ４５０）、基地局は、アップリンク基本割当Ａ−ＭＡＰ  ＩＥを端末に伝送して再伝送のためのリソース領域を割り当てる（Ｓ４７０）。この時、基地局は、Ｓ４４０段階で再伝送のためのリソース領域として割り当てた領域Ｂを再び再伝送のためのリソース領域としてアップリンク基本割当Ａ−ＭＡＰ  ＩＥを端末に伝送する（Ｓ４７０）。
【００５１】
アップリンク基本割当Ａ−ＭＡＰ  ＩＥを受信したた端末は、当該ＩＥが示すリソース領域（領域Ｂ）を通じて再伝送データを基地局に伝送する（Ｓ４８０）。アップリンク基本割当Ａ−ＭＡＰ  ＩＥに割り当てられた領域で再伝送データを成功的に受信した基地局は、端末にＡＣＫ信号を伝送することができる（Ｓ４９０）。
【００５２】
上述したように、端末が、Ａ−ＭＡＰ誤りなどにより、基地局が伝送した再伝送のためのリソース領域として領域Ｂを指示するアップリンク基本割当Ａ−ＭＡＰ  ＩＥを受信できなかった場合に（Ｓ４４０）、基地局が再び領域Ｂを指示するアップリンク基本割当Ａ−ＭＡＰ  ＩＥを端末に伝送することによって、端末がＮＡＣＫ信号を受信し、継続して誤った領域でパケットを伝送する過程を反復する問題点を解決することができる。
【００５３】
基地局は、アップリンク基本割当Ａ−ＭＡＰ  ＩＥを用いて端末のパケット再伝送のためのアップリンクリソースを割り当てた後、該割り当てたリソース領域を通じて端末がパケットを伝送したか否かがわかる。すなわち、基地局は、割り当てたリソース領域に対するバーストデコーディングをすることで、パケットが伝送されたか否かを検出できる。
【００５４】
もし、端末が該当の領域でパケット（またはアップリンクバースト）を伝送しなかったと判断されると、基地局は、端末に次の再伝送のためのリソースを割り当てる時に、アップリンク基本割当Ａ−ＭＡＰ  ＩＥを伝送する。この時、リソース割当領域が以前に割り当てられたのと同じ位置と大きさを有しても、基地局はアップリンク基本割当Ａ−ＭＡＰ  ＩＥを伝送して、端末に再伝送のためのリソースを割り当てることができる。基地局は、リソース割当領域に対する信号強度（またはバーストに対する電力）測定のような方法により端末がパケットを伝送したか否かがわかる。
【００５５】
図５は、ＨＡＲＱ再伝送手順で端末がアップリンク基本割当Ａ−ＭＡＰ  ＩＥを受信できない時に、基地局がＡ−ＭＡＰ誤りを復旧する方法の他の例を説明するための図である。
【００５６】
図５を参照すると、Ｓ５１０乃至Ｓ５５０段階で端末１及び基地局の動作は、図５におけるＳ４１０乃至Ｓ４５０段階の動作と同一である。すなわち、基地局は端末１にアップリンクリソースを割り当てるために、リソース領域（領域Ａ）を示すアップリンク基本割当Ａ−ＭＡＰ  ＩＥを伝送すると（Ｓ５１０）、アップリンク基本割当Ａ−ＭＡＰ  ＩＥを受信した端末１は、該ＩＥが示すリソース領域（領域Ａ）を通じてＨＡＲＱバーストのサブパケットを伝送する（Ｓ５２０）。端末１によって伝送されたパケットに誤りが発生して基地局がそれをデコーディングできないと、基地局は、パケット誤りを端末１に知らせるために、端末にＮＡＣＫ信号を伝送する（Ｓ５３０）。基地局は、指定された時点に端末１が誤りの生じたパケットを再伝送できるようにリソースを割り当てることができるが、この時、該当のＡＣＩＤに対して最も最近に割り当てたリソースと異なる情報（例えば、異なる位置または異なる大きさ）を持つリソースを割り当てるために、アップリンク基本割当Ａ−ＭＡＰ  ＩＥを端末１に伝送する（Ｓ５４０）。サブフレーム単位でスケジューリングされるため、Ｓ５３０段階におけるＮＡＣＫ信号とＳ５４０段階におけるアップリンク基本割当Ａ−ＭＡＰ  ＩＥとを端末１に同時に伝送することができる。
【００５７】
しかし、端末１は、Ｓ５４０段階で再伝送のために領域Ｂを割り当てたアップリンク基本割当Ａ−ＭＡＰ  ＩＥを成功的に受信できなかったため、端末１は領域Ｂを通じてデータを再伝送することができない。したがって、基地局にとっては、アップリンク基本割当Ａ−ＭＡＰによって割り当てられた再伝送リソース領域（領域Ｂ）でアップリンク信号（またはバースト）が存在せず（Ｓ５５０）、よって、基地局は、再伝送のためのリソース領域として領域Ｂを割り当てたアップリンク基本割当Ａ−ＭＡＰ  ＩＥを端末１に伝送することができる（Ｓ５６０）。この時、図４とは違い、基地局は端末１にＮＡＣＫ信号は伝送しない。基地局からアップリンク基本割当Ａ−ＭＡＰ  ＩＥを受信した端末１は、該ＩＥ（Ｉｎｆｏｒｍａｔｉｏｎ  Ｅｌｅｍｅｎｔ）が示すリソース領域（領域Ｂ）を通じて再伝送データを伝送することができる（Ｓ５７０）。そして、基地局が端末１からアップリンク基本割当Ａ−ＭＡＰ  ＩＥに割り当てられた領域（領域Ｂ）を通じて再伝送データを成功的に受信すると、端末１にＡＣＫ信号を伝送することができる（Ｓ５８０）。
【００５８】
このように、基地局が再伝送のためのアップリンクリソースを割り当てるために、アップリンク基本割当Ａ−ＭＡＰ  ＩＥを端末１に伝送した後、端末から割り当てられた領域を通じてバーストを受信できなかった場合に、または、割り当てられた領域で伝送されたパケットに誤りが発生した場合に、基地局は端末１に再伝送パケットを伝送できるリソースを割り当ててアップリンク基本割当Ａ−ＭＡＰ  ＩＥを通じて伝送することによって、再伝送のためのアップリンク基本割当Ａ−ＭＡＰ  ＩＥの誤りから生じる連続したパケット伝送失敗による不必要なリソース浪費を妨げることができる。
【００５９】
図６は、ＩＥＥＥ  ８０２．１６システムにおいてＡ−ＭＡＰ誤りによるサブパケット識別子（ＳＰＩＤ：ＳｕｂＰａｃｋｅｔ  ＩＤｅｎｔｉｆｉｅｒ）の非同期化によりＨＡＲＱサブパケット伝送に誤りが生じる場合を説明するための図である。
【００６０】
図６を参照すると、端末は、新しいパケットを伝送するために、アップリンク基本割当Ａ−ＭＡＰ  ＩＥを基地局から受信することができる。しかし、端末がこのＡ−ＭＡＰ情報をデコーディングするのに失敗したりＡ−ＭＡＰ情報が損失されたりすると（Ｓ６１０）、端末は基地局にパケットを伝送できない場合が生じうる（Ｓ６２０）。Ｓ６１０段階で、基地局は、端末の新しいパケットに対してサブパケット識別子（ＳＰＩＤ）の値を「００」と知っている。しかし、端末は、Ａ−ＭＡＰ情報を損失したので、アップリンクでパケット（サブパケット、バーストなど）を伝送できず、一定時点が経過した後に、基地局からＮＡＣＫ信号と再伝送のためのアップリンク基本割当Ａ−ＭＡＰ  ＩＥとを受信する（Ｓ６３０）。そして、端末は以前にＡ−ＭＡＰ情報を受信できなかったため、ＡＩ＿ＳＮ（ＨＡＲＱ識別子シーケンス番号）から新しい伝送と見なし、ＳＰＩＤ「００」に該当するサブパケットを基地局に伝送する。
【００６１】
しかし、基地局は再伝送をしたため、端末がＳＰＩＤ「０１」を伝送したと見なした上にサブパケットのデコーディングを試みるが、誤ったＳＰＩＤでデコーディングを試みるため、基地局はバーストデコーディングに成功することができない（Ｓ６４０）。こうなると、連続してパケットエラーが生じ、余分のアップリンクリソースの浪費につながることがある。
【００６２】
同期式ＨＡＲＱの基本動作は、下記の通りである。
【００６３】
アップリンク基本割当Ａ−ＭＡＰ  ＩＥの伝送がないと、再伝送のアップリンクリソースを、事前に決定されたサブフレームで、以前のアップリンク割当と同じリソースインデックスに割り当てることができる。アップリンクサブパケット伝送規則について説明すると、初期伝送時に、端末は「０ｂ００」値でラベリングされた（ｌａｂｅｌｅｄ）サブパケットを伝送する。または、端末は「０ｂ００」、「０ｂ０１」、「０ｂ１０」、「０ｂ１１」値の一つを順にサブパケットにラベリングして基地局に伝送することができる。または、端末が基地局から端末のアップリンク伝送のための制御情報であるアップリンク基本割当Ａ−ＭＡＰを受信する場合に、該制御情報が示す伝送回数（すなわち、初期伝送のためのものか、再伝送のためのものか）にかかわらず、端末はアップリンク伝送のためのＨＡＲＱサブパケット識別子（ＳＰＩＤ）値を「００」（すなわち、０ｂ００）に設定して基地局に伝送することができる。
【００６４】
図７は、ＩＥＥＥ  ８０２．１６システムでＡ−ＭＡＰ誤りによるサブパケット識別子（ＳＰＩＤ：ＳｕｂＰａｃｋｅｔ  ＩＤｅｎｔｉｆｉｅｒ）の非同期化問題を解決するための方法の一例を示す図である。
【００６５】
図７を参照すると、端末は新しいパケットを伝送するためにアップリンク基本割当Ａ−ＭＡＰ  ＩＥを基地局から受信することができる。しかし、端末がこのＡ−ＭＡＰ情報をデコーディングするのに失敗したり、Ａ−ＭＡＰ情報が損失されたりすると（Ｓ７１０）、端末は基地局にパケットを伝送できない場合が生じる（Ｓ７２０）。Ｓ７１０段階で、基地局は、端末の新しいパケットに対してサブパケット識別子（ＳＰＩＤ）の値を「００」と知っている。しかし、端末はＡ−ＭＡＰ情報を損失したため、アップリンクでパケット（またはサブパケット、バーストなど）を伝送できず、一定時点が経過した後に、基地局からＮＡＣＫ信号と再伝送のためのアップリンク基本割当Ａ−ＭＡＰ  ＩＥを受信する（Ｓ７３０）。そして、端末は、以前にＡ−ＭＡＰ情報を受信できなかったため、ＡＩ＿ＳＮ（ＨＡＲＱ識別子シーケンス番号）から新しい伝送と見なし、ＳＰＩＤ「００」（すなわち、０ｂ００）に該当するサブパケットを基地局に伝送することができる（Ｓ７４０）。この時、基地局はアップリンクバーストの電力検出（ｐｏｗｅｒ  ｄｅｔｅｃｔｉｏｎ）により、端末がＡ−ＭＡＰを受信できたか否かがわかる。そして、基地局は、アップリンクバーストの電力検出に基づいて端末がＡ−ＭＡＰを成功的に受信したと判断される場合にのみ、サブパケット識別子（ＳＰＩＤ）値を増加させることができる。
【００６６】
例えば、基地局が最初のＡ−ＭＡＰに対するアップリンクバーストの電力検出ができないと、基地局は、端末がＡ−ＭＡＰを受信できなかったと見なす。そして、基地局が次の再伝送のためのＡ−ＭＡＰを用いてアップリンクリソースを割り当てる時に、再伝送アップリンクバーストのサブパケット識別子値を「００」（すなわち、０ｂ００）に設定できる。このような過程により、端末及び基地局が伝送、再伝送するパケットのサブパケット識別子値が一致することとなり、連続してパケット誤りが発生する問題を根本的に解決することができる。
【００６７】
この時、他の方法として、基地局は、アップリンク基本割当Ａ−ＭＡＰによって割り当てられるリソースを通じて伝送されるアップリンクバーストのサブパケット識別子（ＳＰＩＤ）値は、新しい伝送または再伝送にかかわらず、常に初期値「００」とする方法も考慮することができる。すなわち、上述したように、端末が基地局から端末のアップリンク伝送のための制御情報であるアップリンク基本割当Ａ−ＭＡＰを受信する場合に、該制御情報が示す伝送回数（すなわち、初期伝送のためのものか、再伝送のためのものか）にかかわらず、端末はアップリンク伝送のためのＨＡＲＱサブパケット識別子（ＳＰＩＤ）値を「００」（すなわち、０ｂ００）に設定して基地局に伝送することができる。
【００６８】
このように、端末は、制御情報（例えば、アップリンク基本割当Ａ−ＭＡＰ  ＩＥ）を基地局から受信すると、該制御情報が初期伝送のためのものか或いは再伝送のためのものかにかかわらず、常にＨＡＲＱサブパケット識別子を「００」（すなわち、０ｂ００）に設定してアップリンク伝送を行うことによって、基地局とＨＡＲＱサブパケット識別子の不一致により、基地局が端末のアップリンクサブパケットをデコーディングするのに失敗する問題を根本的に解決することができる。
【００６９】
初期伝送（ｎｅｗ  ｔｒａｎｓｍｉｓｓｉｏｎ）の開始を知らせる方法を具体化したものとして、１ビットＨＡＲＱ識別子シーケンス番号（ＡＩ＿ＳＮ）が同一ＡＣＩＤ上で新しいＨＡＲＱ伝送の試みによりトグル（ｔｏｇｇｌｅ）されることを考慮することができる。ＡＩ＿ＳＮが変更されると、受信機は、同一ＡＣＩＤを持つ以前のＨＡＲＱの試み（ａｔｔｅｍｐｔ）を捨て、新しいエンコーダパケットに属する当該ＨＡＲＱの試みを取ることができる。
【００７０】
図８は、装置５０の構成要素を示すダイヤグラムである。この装置５０は、端末または基地局でよい。装置５０は、プロセッサ５１、メモリ５２、無線周波数ユニット（ＲＦユニット）５３、ディスプレイユニット５４、及びユーザーインターフェースユニット５５を含む。無線インターフェースプロトコルのレイヤー（ｌａｙｅｒｓ）は、プロセッサ５１内で具現される。
【００７１】
プロセッサ５１は、制御プレーンとユーザープレーンを提供する。各レイヤーの機能はプロセッサ５１内で具現することができる。プロセッサ５１は、競合解決タイマー（ｃｏｎｔｅｎｔｉｏｎ  ｒｅｓｏｌｕｔｉｏｎ  ｔｉｍｅｒ）を含むことができる。
【００７２】
メモリ５２はプロセッサ５１に接続してオペレーティングシステム、アプリケーション、及び一般ファイル（ｇｅｎｅｒａｌ  ｆｉｌｅｓ）を記憶する。もし装置５０が端末であれば、ディスプレイユニット５４は様々な情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）のような周知の要素を用いることができる。
【００７３】
ユーザーインターフェースユニット５５は、キーパッド、タッチスクリーンなどのような周知のユーザーインターフェースの組み合わせで構成することができる。ＲＦユニット５３は、プロセッサ５１に接続して無線信号を送受信することができる。ＲＦユニット５３は、伝送モジュール（図示せず）及び受信モジュール（図示せず）を含むことができるＲＦユニット５３は、基地局からゾーン割当情報を含む制御情報を受信し、プロセッサ５１は、ゾーン割当情報に基づいて端末装置５０が該当のゾーンを通じて基地局と通信できるように制御する。
【００７４】
端末及びネットワーク間の無線インターフェースプロトコルのレイヤーを、通信システムで周知であるＯＳＩ（ｏｐｅｎ  ｓｙｓｔｅｍ  ｉｎｔｅｒｃｏｎｎｅｃｔｉｏｎ）モデルの下位の３層に基づいて第１レイヤー（Ｌ１）、第２レイヤー（Ｌ２）及び第３レイヤー（Ｌ３）に分類することができる。物理レイヤーまたはＰＨＹレイヤーは、第１レイヤーに属し、物理チャネルを通じて情報伝送サービスを提供する。ＲＲＣ（ｒａｄｉｏ  ｒｅｓｏｕｒｃｅ  ｃｏｎｔｒｏｌ）レイヤーは、第３レイヤーに属し、ＵＥ及びネットワーク間の制御無線リソースを提供する。ＵＥとネットワークとはＲＲＣレイヤーを通じてＲＲＣメッセージを交換する。
【００７５】
以上で説明された実施例は、本発明の構成要素及び特徴を所定の形態に結合したものである。各構成要素または特徴は、別の明示的な言及がない限り、選択的なものとして考慮すればよい。各構成要素または特徴は、他の構成要素や特徴と結合しない形態で実施してもよい。また、一部の構成要素及び／または特徴を結合して本発明の実施例を構成してもよい。本発明の実施例で説明される動作の順序は変更可能である。ある実施例の一部構成や特徴は、他の実施例に含まれてもよく、他の実施例の対応する構成または特徴に代わってもよい。特許請求の範囲で明示的な引用関係を有しない請求項を結合して実施例を構成したり、出願後の補正により新しい請求項として含めることもできることは明らかである。
【００７６】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００７７】
ファームウェアやソフトウェアによる具現の場合、本発明の一実施例に係る方法は、以上で説明された機能または動作を行うモジュール、手順または関数などの形態で具現することができる。メモリユニットにソフトウェアコードを記憶してプロセッサにより駆動することができる。メモリユニットは、プロセッサの内部または外部に設けられて、周知の様々な手段によりプロセッサとデータを授受することができる。
【００７８】
本発明は本発明の精神及び必須特徴から逸脱しない範囲で他の特定の形態に具体化できるということは当業者には自明である。そのため、上記の詳細な説明はいずれの面においても制約的に解釈されてはならず、例示的なものとして考慮しなければならない。本発明の範囲は、添付した請求項の合理的解釈により決定すべきものであり、本発明の等価的範囲内における変更はいずれも本発明の範囲に含まれる。
【産業上の利用可能性】
【００７９】
ＨＡＲＱ手順を行うための装置及び方法は、ＩＥＥＥ  ８０２システム、３ＧＰＰ  ＬＴＥ、ＬＴＥ−Ａシステムなどの無線通信システムに適用することができる。
【図１】
0005646630.tif 000002
【図２】
0005646630.tif 000003
【図３】
0005646630.tif 000004
【図４】
0005646630.tif 000005
【図５】
0005646630.tif 000006
【図６】
0005646630.tif 000007
【図７】
0005646630.tif 000008
【図８】
0005646630.tif 000009